(57)【要約】【課題】大型のタグを採用し、タグ自体を三次元に折り畳んでティーカップと固定して、様々なスタイルのティーバッグ、特に粒状ティーバッグを包み込み、閉じた安全なティーバッグ製品を形成することによって、資源の浪費を減らすことができる個別包装ティーバッグを提供すること。【解決手段】本発明は、個別包装ティーバッグを公開し、お茶のパッケージング技術に関し、バッグ本体、連結部材及びタグからなるティーバッグを含み、前記連結部材の一端は、前記バッグ本体に連接され、前記連結部材の他端は、前記タグに連接され、前記タグは、弯曲可能な変形材料を採用し、前記タグは、収容袋として構成され、前記バッグ本体と前記連結部材は、前記収容袋に収容される。【選択図】図１
2020504058.tif 000002
【特許請求の範囲】
【請求項１】
バッグ本体、連結部材及びタグからなるティーバッグを含む個別包装ティーバッグであって、前記連結部材の一端は、前記バッグ本体に連接され、前記連結部材の他端は、前記タグに連接され、前記タグは、弯曲可能な変形材料を採用し、前記タグは、収容袋として構成され、前記バッグ本体と前記連結部材は、前記収容袋に収容されることを特徴とする個別包装ティーバッグ。
【請求項２】
前記バッグ本体は、ソフトバッグと前記ソフトバッグ内に装入される茶葉とを含み、
前記バッグ本体と前記連結部材は、前記タグに置かれ且つ前記タグと共に、前記タグの１つの側縁に向かって折り畳まれた後に、機械プレス加工によって閉鎖され、前記バッグ本体と前記連結部材は、前記タグが形成した前記収容袋の中に収容されることを特徴とする請求項１に記載の個別包装ティーバッグ。
【請求項３】
前記収容袋には、引き裂き部と前記引き裂き部を容易に引き裂くための開口部が設けられていることを特徴とする請求項２に記載の個別包装ティーバッグ。
【請求項４】
前記タグは、任意の角度に曲げられることができることを特徴とする請求項３に記載の個別包装ティーバッグ。
【請求項５】
前記タグは、アルミ箔紙で製造されることを特徴とする請求項４に記載の個別包装ティーバッグ。
【請求項６】
前記個別包装ティーバッグは、カプセル型ハウジングをさらに含み、前記カプセル型ハウジングは、カプセルキャップと前記カプセルキャップとかみ合うカプセルボディーとを含み、前記収容袋は、前記カプセルボディーの中に収容されることを特徴とする請求項５に記載の個別包装ティーバッグ。
【請求項７】
前記カプセル型ハウジングは、カプセル上下連結部をさらに含み、前記カプセル上下連結部は、前記カプセルボディーと前記カプセルキャップとの間に配置され、前記収容袋が前記カプセル上下連結部を貫通することを特徴とする請求項６に記載の個別包装ティーバッグ。
【請求項８】
前記カプセル上下連結部と前記カプセルボディーは、一体成型されるか又は固定的に連接され、
前記カプセル上下連結部が前記カプセルボディーと一体成型される場合、前記カプセル上下連結部は、前記カプセルボディーの上端に配置され、且つ前記カプセルボディーと段差面を形成し、前記カプセル上下連結部は、前記カプセルキャップ内に挿入され、
前記カプセル上下連結部が前記カプセルボディーに固定的に連接される場合、前記カプセル型ハウジングはゴム部材をさらに含み、前記カプセルキャップには上部ノッチが設けられ、前記カプセルボディーには下部ノッチが設けられ、前記ゴム部材の一端は、前記上部ノッチに接続され、前記ゴム部材の他端は、前記下部ノッチに接続され、前記カプセル上下連結部は、前記カプセルボディーと嵌合することを特徴とする請求項７に記載の個別包装ティーバッグ。
【請求項９】
前記茶葉は、粒状の茶葉であることを特徴とする請求項２に記載の個別包装ティーバッグ。
【請求項１０】
前記連結部材は、糸であることを特徴とする請求項１に記載の個別包装ティーバッグ。
【発明の詳細な説明】
【技術分野】
【０００１】
本発明は、お茶のパッケージング技術に関し、特に個別包装ティーバッグに関するものである。
【背景技術】
【０００２】
市販されている個別包装ティーバッグ製品は、通常はティーバッグと個別の外包装袋とからなる。ティーバッグは、タグとこのタグに取り付けられたバッグ本体とを含む。一般的なタグは、小さな紙製の吊り下げタグであり、糸を介してバッグ本体と接続した状態で個別の外包装袋の中に置かれる。使用する時に、前記タグは、糸によりティーカップの外に吊り下げられ、ティーカップの中からバッグ本体を取り出すために用いられる。タグのサイズ及び製造コストを減らすために、このようなタグは通常は小さく設計されている。
【０００３】
また、従来のティーバッグの外包装袋は、殆ど個別タイプの軟質包装であり、ティーバッグが外部からの汚染を受けないように用意され、ある程度はバッグ本体の中のお茶が湿ったり酸化したりするのを防ぐことができる。しかし、このような個別タイプの軟質包装の殆どは、紙の素材で製造され、引き裂いた後すぐに捨てられ、使い捨て消耗品であり、しばしば資源の浪費をもたらす。
【発明の概要】
【発明が解決しようとする課題】
【０００４】
本発明は、個別タイプの軟質包装であるティーバッグの外包装袋が資源を浪費し易いという技術的問題に鑑みてなされたものであり、前記技術的問題をある程度は解決することができる個別包装ティーバッグを提供することを目的とする。
【課題を解決するための手段】
【０００５】
上記の課題を解決するために、本発明に係る個別包装ティーバッグは、バッグ本体、連結部材及びタグからなるティーバッグを含む個別包装ティーバッグであって、前記連結部材の一端は、前記バッグ本体に連接され、前記連結部材の他端は、前記タグに連接され、前記タグは、弯曲可能な変形材料を採用し、前記タグは、収容袋として構成され、前記バッグ本体と前記連結部材は、前記収容袋に収容される。
【０００６】
好ましくは、前記バッグ本体は、ソフトバッグと前記ソフトバッグ内に装入される茶葉とを含み、前記バッグ本体と前記連結部材は、前記タグに置かれ且つ前記タグと共に、前記タグの１つの側縁に向かって折り畳まれた後に、機械プレス加工によって閉鎖され、前記バッグ本体と前記連結部材は、前記タグが形成した前記収容袋の中に収容される。
【０００７】
好ましくは、前記収容袋には、引き裂き部と前記引き裂き部を容易に引き裂くための開口部が設けられている。
【０００８】
好ましくは、前記タグは、任意の角度に曲げられることができる。
【０００９】
好ましくは、前記タグは、アルミ箔紙で製造される。
【００１０】
好ましくは、前記個別包装ティーバッグは、カプセル型ハウジングをさらに含み、前記カプセル型ハウジングは、カプセルキャップと前記カプセルキャップとかみ合うカプセルボディーとを含み、前記収容袋は、前記カプセルボディーの中に収容されること。
【００１１】
好ましくは、前記カプセル型ハウジングは、カプセル上下連結部をさらに含み、前記カプセル上下連結部は、前記カプセルボディーと前記カプセルキャップとの間に配置され、前記収容袋が前記カプセル上下連結部を貫通する。
【００１２】
好ましくは、前記カプセル上下連結部と前記カプセルボディーは、一体成型されるか又は固定的に連接され、前記カプセル上下連結部が前記カプセルボディーと一体成型される場合、前記カプセル上下連結部は、前記カプセルボディーの上端に配置され、且つ前記カプセルボディーと段差面を形成し、前記カプセル上下連結部は、前記カプセルキャップ内に挿入され、前記カプセル上下連結部が前記カプセルボディーに固定的に連接される場合、前記カプセル型ハウジングはゴム部材をさらに含み、前記カプセルキャップには上部ノッチが設けられ、前記カプセルボディーには下部ノッチが設けられ、前記ゴム部材の一端は、前記上部ノッチに接続され、前記ゴム部材の他端は、前記下部ノッチに接続され、前記カプセル上下連結部は、前記カプセルボディーと嵌合する。
【００１３】
好ましくは、前記茶葉は、粒状の茶葉である。
【００１４】
好ましくは、前記連結部材は、糸である。
【発明の効果】
【００１５】
本発明の個別包装ティーバッグは、自己折り畳み可能な大型タグを採用し、それをティーカップと固定した後に、三次元折り畳みを行って、様々なティーバッグを包み、特に粒状茶葉を封入したティーバッグを包んで、閉じた安全なティーバッグ製品を形成し、資源の無駄を削減することができる。
【図面の簡単な説明】
【００１６】
【図１】本発明の個別包装ティーバッグのカプセルキャップが開かれた状態での構造を示す図である。
【図２】ティーバッグの構造を示す図である。
【図３】収容袋の構造を示す図である。
【図４】ティーカップがハンドルを備えない場合にティーバッグの使用状態図である。
【図５】ティーカップがハンドルを備える場合にティーバッグの使用状態図である。
【図６】カプセル型ハウジングの第一構造図である。
【図７】カプセル型ハウジングの第二構造図である。
【発明を実施するための形態】
【００１７】
以下、図面を参照しながら、本発明の実施形態を詳細に説明する。図面において、同一又は類似の符号は、同一または類似の部品、又は同一または類似の機能を持つ部品を示す。添付した図面が描いた実施形態は、ただ例示的なものであり、本発明を解釈するためのものであり、本発明を制限するものではない。
【００１８】
本発明の説明において、「中心」、「縦向き」、「横向き」、「長さ」、「幅」、「厚さ」、「上」、「下」、「前」、「後ろ」、「左」、「右」、「垂直」、「水平」、「トップ」、「ボトム」「内側」、「外側」、「時計回り」及び「反時計回り」等が指示される方向或いは位置関係は、図面で示される方向或いは位置関係に基づき、ただ本発明を説明することを便宜にし、且つ説明を簡略化するための表現であり、指定されたデバイス又は部品は、必ず特定の方向を持つ、特定の方位で構造や操作しなければならないことを指示又は暗示する表現ではないので、本発明を制限するものと理解できない。
【００１９】
また、専門用語「第一」と「第二」は、説明の表現だけであり、相対的な重要性又は技術的特徴の数量を指示又は暗示する表現と理解できない。従って、「第一」及び「第二」で定義される要素は、明示的又は暗黙的に１つ又は複数の当該要素を含むことが可能である。本発明の説明において、特に明記しない限り、「複数」とは２つ又は２つ以上を意味する。
【００２０】
また、本発明において、特に明記及び制限がない限り，専門用語「取り付け」、「連接」、「接続」、「固定」等は、広い意味で理解されるべきである。例えば、固定的な連接であってもよく、取り外し可能な接続又は一体成型であってもよく、機械的な接続又は電気的な接続であってもよく、直接に又は中間メディアを介して間接的に接続してもよく、２つの部品の内部連通であってもよい。本技術分野の当業者にとって、具体的な状況によって、上記用語の本発明での意味を理解することができる。
【００２１】
また、本発明において、特に明記及び制限がない限り、第一特徴が第二特徴の「上」又は「下」にあるとは、第一特徴と第二特徴とが直接に接触すること及び第一特徴と第二特徴が他の特徴を介して接触することを含む。しかも、第一特徴が第二特徴の「上」、「上方」及び「上面」にあるとは、第一特徴が第二特徴の真上又は斜め上であることを意味する又はただ第一特徴の水平高さが第二特徴より高いことを表す。第一特徴が第二特徴の「下」、「下方」及び「下面」にあるとは、第一特徴が第二特徴の真下又は斜め下であることを意味する又はただ第一特徴の水平高さが第二特徴より低いことを意味する。
【００２２】
以下、図面を参照しながら、本発明の具体的な実施形態を詳細に説明する。
【００２３】
図１〜２に示すように、本実施形態に提供する個別包装ティーバッグは、ティーバッグを含み、このティーバッグは、バッグ本体１０１と、連結部材１０２と及びタグ１０３とを備え、これら三つの部材が合わせてティーバッグ１０という。連結部材１０２の一端は、機械的プレス工程によりバッグ本体１０１と連接されている。タグ１０３の上面の中心位置には、のりしろが設けられており、連結部材１０２の他端は、前記のりしろに接着されている。 
【００２４】
注意すべきことは、市販されている個別包装ティーバッグ製品は、通常にタグ１０３付きのティーバッグ１０と個別の外包装袋とにより構成される。ティーバッグ１０の外包装袋は、殆ど個別の外包装袋である。このような個別の外包装袋は、一般的に紙製であり、引き裂いて使用された後に、その場で廃棄されるため、資源の無駄使いとなる。ところが、本実施形態におけるタグ１０３は、弯曲可能な変形材料を採用する。タグ１０３は、収容袋１０３１と構成され、２つの機能を兼ね備えており、その中にバッグ本体１０１と連結部材１０２が収容されている。収容袋１０３１は、ティーバッグ１０が外部の汚染を受けないように保護し、ある程度はティーバッグ１０が湿らされ、酸化されることを防止する。タグ１０３自体を三次元に折り畳まれて、ティーバッグ１０を包み、閉じた且つ安全なティーバッグ製品を形成し、既存の柔らかい紙袋に置き換えて、資源を節約することができる。
【００２５】
ティーバッグ１０のタグ１０３は、殆ど小型の紙製タグ１０３であり、連結部材１０２を介してバッグ本体１０１と連接して、別体の包装袋内に収納される。使用する時に、タグ１０３は連結部材１０２を介してティーカップの外側に吊り下げられて、ティーカップからお茶のバッグ本体１０１を取り出すことに用いられる。タグ１０３の小型化及び製造コストの低減のために、通常はこのようなタグを小さく設計している。しかし、小型のタグ１０３は、お茶製品の情報を表示することが容易ではない。これと同時に、このようなタグ１０３は、軽量であるため、使用する時に、ティーカップの中に落下し易く、且つ、長時間にわたって浸すと、タグ１０３が連結部材１０２を介してお茶水により濡れ易い。従って、本実施形態におけるタグ１０３は、現在使用されるタグ１０３より大きく、お茶製品の情報を十分に表示することができる。
【００２６】
より詳細には、おバッグ本体１０１は、ソフトバッグ１０１１及びソフトバッグ１０１１内に装入される茶葉を含む。バッグ本体１０１と連結部材１０２とを共に、タグ１０３の上面の一側の縁に置いて、バッグ本体１０１と連結部材１０２とを、タグ１０３と共に、タグ１０３の１つの側縁に向かって複数回にわたって折り畳んで束ねられた構造となった後、両端と一側を機械プレスによって閉合して、粒状茶葉のティーバッグ１０を安全的に包装し、ティーバッグ１０を湿気や酸化から離隔することができる。従って、バッグ本体１０１と連結部材１０２は、タグ１０３が形成した前記収容袋１０３１に収容されることができる。本実施形態では、大型のタグ１０３を折り畳んで、プレス加工することにより、バッグ本体１０１を包んで密封する。
【００２７】
図３に示すように、本実施形態において、収容袋１０３１の一方側には、引き裂き部１０３１１及びこの引き裂き部１０３１１を容易に引き裂くための開口部１０３１２が設けられている。収容袋１０３１が折り畳まれた後の末端には、外へ突出するタグ１０３により引き裂き部１０３１１が形成さる。ティーバッグ１０のお茶を飲む時に、タグ１０３に予め設けた引き裂き部１０３１１における引き裂き部位によって、タグ１０３からなる収容袋１０３１を十分に引き裂くことができる。特に注意すべきところは、収容袋１０３１を引き裂く方式としては、上下に引き裂くことであり、左右に引き裂くことではない。タグ１０３が展開された後に、お茶製品の情報を完全に表示することができる。そのうち、タグ１０３の外側にティーバッグ１０に関連する法定的な情報を表示し、内側にお茶製品の文化的な情報を表示する。
【００２８】
図４〜５に示すように、タグ１０３は、引き裂かれた後に、任意の角度に曲げられることができ、ティーカップに固定することもできる。従って、ティーバッグ１０が固定され、タグ１０３がお茶の中に滑り込むことが防止される。具体的な使用方法としては、ティーカップがハンドルを備えない場合、タグ１０３を折り畳むことでティーカップの縁に固定し、ティーカップがハンドルを備える場合、タグ１０３を折り畳むことでティーカップのハンドルと結び付けて、ティーバッグ１０を固定することができる。タグ１０３とティーカップとを結び付ける目標として、お茶を飲むことを便利にすることである。
【００２９】
本実施形態では、タグ１０３は、アルミ箔紙で製造され、この硬質のアルミ箔紙が所望な形状に折り曲げられることができ、紙のように柔らかい、変形し易い、変形しても跳ね返ることはなく、定型でき、遮光でき、落ちることがなく、不透明であり、汚染なし、安価であり、高級タバコ及びキャンディーなどの食品を防湿又は装飾することに用いられる。
【００３０】
ティーバッグ１０の外包装は、殆どフラット状であるため、このような外包装は、ティーバッグ内の茶葉、特に粒状の茶葉をきちんと保護することは容易ではなく、持ち運びにも不便である。そこで、本実施形態に係る個別包装ティーバッグは、カプセル型ハウジング２０をさらに備える。ティーバッグ１０の外包装は、硬質のカプセル状設計を採用し、硬質のカプセル状の外包装によって、安定した包装構造を形成して、ティーバッグ１０を保護し、さらにティーバッグ１０内の茶葉も破り難くように保護している。カプセル型ハウジング２０は、カプセルキャップ２０１とカプセルボディー２０２とを含み、収容袋１０３１は、カプセルボディー２０２内に挿入され、カプセルキャップ２０１は、カプセルボディー２０２上に装着されている。
【００３１】
具体的には、カプセル型ハウジング２０は、カプセル上下連結部２０３をさらに備える。カプセル上下連結部２０３は、環状のハウジングであり、カプセルボディー２０２とカプセルキャップ２０１との間に配置されている。収容袋１０３１がカプセル上下連結部２０３を貫通する。ティーバッグ１０がカプセル内に装入された後に、独立且つ安全なティーバッグ包装体となる。
【００３２】
図６〜７に示すように、カプセル型ハウジング２０は、２つの構造形態を有する。カプセル上下連結部２０３とカプセルボディー２０２とは、一体成型される又は固定的に連接されている。この２種類の構造の開き方式は、それぞれ引き出し式及び引き抜き式であり、密閉された安全な収容空間を提供する。カプセル型ハウジング２０内の茶葉を開くこと及び持ち運びが容易になり、また、カプセル型ハウジング２０を何度もリサイクルすることができる。
【００３３】
具体的には、カプセル上下連結部２０３がカプセルボディー２０２と一体成型される場合、カプセル上下連結部２０３は、カプセルボディー２０２の上端に配置され、カプセルボディー２０２に対して段差面を形成する。カプセル上下連結部２０３は、カプセルキャップ２０１内に挿入されており、その開き方は引き出し式である。
【００３４】
カプセル上下連結部２０３がカプセルボディー２０２に固定的に連接される場合、カプセル型ハウジング２０はゴム部材２０４をさらに含み、カプセルキャップ２０１には上部ノッチ２０１１が設けられ、カプセルボディー２０２には下部ノッチ２０２１が設けられ、ゴム部材２０４の一端は、上部ノッチ２０１１に接続され、ゴム部材２０４の他端は、下部ノッチ２０２１に接続される。カプセルボディー２０２の内部には、環状の凸部が設けられている。カプセル上下連結部２０３は、カプセルボディー２０２の凸部と嵌合するように取り付けられ、その開き方は引き抜き式である。
【００３５】
また、カプセル上下連結部２０３がカプセルボディー２０２に固定的に連接される時に、他の構造のカプセル型ハウジング２０を構成することもできる。具体的には、カプセル上下連結部２０３には、外側へ突出する定位ブロックが設けられ、カプセルキャップ２０１には、上部係合スロットが設けられており、カプセルボディー２０２には、下部係合スロットが設けられている。前記上部係合スロットと前記下部係合スロットは、嵌合して定位スロットを形成し、前記定位ブロックは、この定位スロットの中に固着されている。
【００３６】
現在、個別包装ティーバッグ製品の種類は様々であり、例えばリプトン及びトワイニングス等のティーバッグ。その外包装は、伝統的なティーバッグの平らな形の外包装であり、そのバッグ本体１０１の中の茶葉は、殆ど粉末状又はシート状であり、粒状もある。本実施形態に係る個別包装ティーバッグ内の茶葉は、主に粒状茶葉であり、ティーバッグは１．５ｇ／袋であり、重量は比較的に軽く、一回飲むのに適している量である。
【００３７】
本実施形態における接続部材１０２は、糸であり、そのコストが低く、ティーバッグ１０全体の価格を下げることができる。
【００３８】
個別包装ティーバッグを提供することにより、大型のタグ１０３を採用し、タグ１０３自体を三次元に折り畳んで使用して、様々なスタイルのティーバッグ１０、特に粒状ティーバッグ１０を包み込み、閉じて安全なティーバッグ製品を形成し、それによって資源の浪費を減らすことができる。これと同時に、硬質カプセル形状の包装ハウジングを取り合わせて、粒状ティーバッグ１０が壊れることをさらに防止する。タグ１０３が展開された後に、それを折り畳むことでティーカップと固定して、ティーバッグ１０を固定する役割を果たすことができる。
【００３９】
本明細書の説明において、「１つの実施形態」、「幾つかの実施形態」及び「具体的な例」等の用語は、当該実施形態又は実施例に関連する具体的な特徴、構造又は材料は、本発明の少なくとも１つの実施形態又は実施例に含まれることを意味する。本明細書において、上記の用語は、必ずしも同じ実施形態又は実施例を意味するものではない。さらに、前記具体的な特徴、構造又は材料を、任意の１つ又は複数の実施形態において適切な方法で組み合わせることができる。
【００４０】
以上、好適な具体例を挙げて本発明を説明してきたが、本発明は、上述の実施形態に限定されるものではなく、その要旨を逸脱しない範囲において、種々な変更又は取替えが可能であることは言うまでもない。この変更又は取替えに基づく様々な変形例も本発明の保護範囲に含まれることは明らかである。
【符号の説明】
【００４１】
１０        ティーバッグ
１０１      バッグ本体
１０１１    ソフトバッグ
１０２      連結部材
１０３      タグ
１０３１    収容袋
１０３１１  引き裂き部
１０３１２  開口部
２０        カプセル型ハウジング
２０１      カプセルキャップ
２０１１    上部ノッチ
２０２      カプセルボディー
２０２１    下部ノッチ
２０３      カプセル上下連結部
２０４      ゴム部材
【図１】
2020504058.tif 000003
【図２】
2020504058.tif 000004
【図３】
2020504058.tif 000005
【図４】
2020504058.tif 000006
【図５】
2020504058.tif 000007
【図６】
2020504058.tif 000008
【図７】
2020504058.tif 000009
【国際調査報告】
2020504058.tif 000010
2020504058.tif 000011
2020504058.tif 000012
2020504058.tif 000013